(57)【要約】【課題】テレビリモコンには液晶表示部を駆動するための表示部駆動回路４と、リモコンとして機能するためのリモコン通信回路５とを備えている。給湯装置２から通信線５０を介して電力が供給されるが、その電力では表示部駆動回路４を十分に作動させることができないため、別途外部電源３が用いられている。ところが、テレビ画像を表示させない状態など表示部駆動回路４を作動させる必要がない状態でも、電源回路４３で電力が消費される。【解決手段】表示部駆動回路４を作動させる必要が無い場合には、切換回路４１をオフ状態にして、電力回路４３への電力供給を遮断すると共に、電力ライン４０の電圧降下を電圧検知回路４２に検知させ、切換回路５１をオン状態に切り換えて、通信線５０からの電力でリモコン通信回路５を作動させるようにした。【選択図】  図３
2006186466.tif 000002
【特許請求の範囲】
【請求項１】
機器本体に通信線を介して接続され、この通信線を介して供給される電力に信号を重畳させ機器本体との間で通信を行い機器の制御を行うリモコン通信回路と、少なくともテレビ画像を表示する画像表示部および画像表示部を駆動する表示部駆動回路とを備えたテレビリモコンであって、リモコン通信回路と表示部駆動回路とに各々電力を供給する電源回路をリモコン通信回路と表示部駆動回路とに個別に設けると共に、少なくとも表示部駆動回路用の電源回路に外部電源から別途電力を供給するようにしたものにおいて、表示部駆動回路が作動しない状態では表示部駆動回路用の電源回路に対する外部電源からの電力供給を遮断する切換手段を設けたことを特徴とするテレビリモコン。
【請求項２】
外部電源からの電力をリモコン通信回路と表示部駆動回路とに供給すると共に、外部電源から供給される電力に異常が生じたことを検知する異常検知手段を設け、この異常検知手段が異常を検知した場合に、リモコン通信回路と表示部駆動回路への外部電源からの電力供給を遮断すると共に、機器から通信線を介して供給される電力をリモコン通信回路に供給する切換手段を設けたことを特徴とする請求項１に記載のテレビリモコン。
【発明の詳細な説明】
【技術分野】
【０００１】
本発明は、例えば浴室に取り付けられるリモコンであって、浴室外に取り付けられた機器である給湯装置のコントロールをすると共に、テレビ機能が備えられテレビ画面を鑑賞することのできるテレビリモコンに関する。
【背景技術】
【０００２】
従来のこの種のテレビリモコンは、上述のようにリモコンとして機能するためにリモコン通信回路を備えている。また、テレビ画面を表示するための液晶表示部を備えているので、この液晶表示部を駆動するための表示部駆動回路を備えている。この表示部駆動回路は液晶表示部の後方に配置されたバックライトを点灯させる機能も有している。
【０００３】
そして、これらリモコン通信回路および表示部駆動回路には機器である給湯装置から電力が供給されている（例えば、特許文献１参照）。
【特許文献１】特開２０００−２９２００１号公報（請求項１、段落０００９）
【発明の開示】
【発明が解決しようとする課題】
【０００４】
リモコン通信回路が消費する電力は比較的少なく、機器にリモコン通信回路を数台接続しても機器側の電力供給部に与える負担は小さい。これに対して、表示部駆動回路はバックライトの点灯を行うので、リモコン通信回路の消費電力に比べてはるかに大量の電力を消費する。そのため、上記従来のもののように、表示部駆動回路を機器側から供給される電力で作動させるように構成すると、機器側の電力供給部の供給能力を高める必要がある。
【０００５】
ところが、リモコンには必ずしもテレビ機能が備えられているとは限らない。そのため、テレビ機能を備えていないリモコンのみを機器に接続する構成では、機器の電力供給部が不要に高性能になり、機器の価格が高くなるなど効率の悪いものとなる。
【０００６】
このような場合には、機器の電力供給部の能力を高めるのではなく、リモコンにテレビ機能が備えられている場合には別途の外部電源を用いることが考えられる。ところで、リモコン通信回路および表示部駆動回路には各々個別に電源回路が設けられており、テレビ機能を使用せず、したがって表示部駆動回路を作動させる必要のない状態であっても、表示部駆動回路用の電源回路で常に電力が消費されると省エネの観点から望ましくない。
【０００７】
そこで本発明は、上記の問題点に鑑み、上記の不具合が生じないテレビリモコンを提供することを課題とする。
【課題を解決するための手段】
【０００８】
上記課題を解決するために本発明によるテレビリモコンは、機器本体に通信線を介して接続され、この通信線を介して供給される電力に信号を重畳させ機器本体との間で通信を行い、機器の制御を行うリモコン通信回路と、少なくともテレビ画像を表示する画像表示部および画像表示部を駆動する表示部駆動回路とを備えたテレビリモコンであって、リモコン通信回路と表示部駆動回路とに各々電力を供給する電源回路をリモコン通信回路と表示部駆動回路とに個別に設けると共に、少なくとも表示部駆動回路用の電源回路に外部電源から別途電力を供給するようにしたものにおいて、表示部駆動回路が作動しない状態では表示部駆動回路用の電源回路に対する外部電源からの電力供給を遮断する切換手段を設けたことを特徴とする。
【０００９】
外部電源を用いるので機器に内蔵されている電力供給部の電力供給能力を大きくする必要がない。また、大きな電力を消費する表示部駆動回路が作動しない状態では、この表示部駆動回路に電力を供給する電源回路に対して外部からの電力が供給されない。これら２点から、この電源回路で無駄に消費される電力を可及的に最小にできる。
【００１０】
また、外部電源からの電力をリモコン通信回路と表示部駆動回路とに供給すると共に、外部電源から供給される電力に異常が生じたことを検知する異常検知手段を設け、この異常検知手段が異常を検知した場合に、リモコン通信回路と表示部駆動回路への外部電源からの電力供給を遮断すると共に、機器から通信線を介して供給される電力をリモコン通信回路に供給する切換手段を設ければ、外部電源の異常により表示部駆動回路の作動が停止して、画像表示部でのテレビ画像の表示を行えなくなるものの、最低限必要なリモコン機能は、機器側から供給される電力でその後も継続して使用することができる。
【発明の効果】
【００１１】
以上の説明から明らかなように、本発明は、表示部駆動回路が作動しない状態では表示部駆動回路用の電源回路に対する外部電源からの電力供給を遮断するので、表示部駆動回路を作動させない状態での電源回路における電力消費をまったくゼロにすることができる。
【発明を実施するための最良の形態】
【００１２】
図１および図２を参照して、１は本発明によるテレビリモコンであって、浴室の壁面に取り付けられている。このテレビリモコン１には浴室外に設置された給湯装置２が接続されており、給湯装置２から給湯される湯を浴槽に張ったり湯温を自動的に一定温度に保つ自動運転などの操作をこのテレビリモコン１によって行うことができる。
【００１３】
またテレビリモコン１には液晶表示部１１が取り付けられており、リモコンとして機能させる際の設定項目などをこの液晶表示部１１に表示させるほか、テレビ画像をこの液晶表示部１１に表示させることによって液晶テレビとして機能させることができる。
【００１４】
３は交流１００ボルトの電源を直流１２ボルトに整流し、テレビリモコン１に供給するための外部電源である。
【００１５】
図３を参照して、テレビリモコン１の内部には、テレビリモコン１を給湯装置２のリモコンとして機能させる際に使用するリモコン通信回路５が内蔵されている。また、テレビリモコン１を液晶テレビとして機能させるための表示部駆動回路４も同じく内蔵されている。
【００１６】
これら表示部駆動回路４およびリモコン通信回路５には各々専用の電源回路４３および電源回路５２が接続されている。電源回路４３は外部電源３から電力ライン４０を介して電力が供給されるが、電源回路４３と外部電源３との間には電圧検知回路４２と切換回路４１とが直列に取り付けられている。
【００１７】
一方、リモコン通信回路５には電源回路５２が接続されており、この電源回路５２は通信線５０を介して給湯装置２に接続されている。ただし、電源回路５２と給湯装置２との間には切換回路５１が取り付けられている。また、通信線５０はこの切換回路５１より給湯装置２側で分岐され、カップリング５３に接続されている。
【００１８】
通信線５０には直流１２ボルトの電力に信号が重畳されており、カップリング５３では通信線５０に重畳されている信号成分のみを分離し、給湯装置２からの信号を信号線５４を介してリモコン通信回路５に供給するように構成されている。また、リモコン通信回路から信号線５４に出力される信号はカップリング５３を介して通信線５０に重畳され、給湯装置２に送信される。
【００１９】
ところで、上記切換回路４１はリモコン通信回路５からの信号によって電力ライン４０をオンオフするものであり、切換回路４１がオン状態であれば外部電源３からの電力は電圧検知回路４２を通って電源回路４３に供給される。切換回路４１がオフ状態であれば電力ライン４０はこの切換回路４１で遮断され、電源回路４３に外部電源３から電力が供給されない状態になる。なお、電源回路４３から出力される電力は電力分岐線４４を介してリモコン通信回路４１にも供給されるように構成されている。
【００２０】
電圧検知回路４２は外部電源３の異常を検知するためのものであり、外部電源３に何らかの異常が生じて電力ライン４０の電圧が設定値から外れたことを検知すると、切換回路５１をオン状態にするものであり、電力ライン４０の電圧に異常が生じていなければ、切換回路５１をオフ状態にするように構成されている。
【００２１】
図４を参照して、上記構成において、テレビリモコン１の作動が開始されると、リモコン通信回路５は最初に切換回路４１をオン状態にする（Ｓ１）。外部電源３に異常が生じていなければ電圧検知回路４２は切換回路５１をオフ状態にする（Ｓ２，Ｓ３）。すると、電源回路５２には給湯装置２から通信線５０を介して供給される電力がこの切換回路５１で遮断され、電源回路５２には供給されない。
【００２２】
一方、外部電源３から電源ライン４０を介して供給される電力は電源回路４３に供給され、電源回路４３から出力される電力は表示部駆動回路４およびリモコン通信回路５に供給される。
【００２３】
この状態で、テレビ機能用の電源がオフにされたり、リモコン操作時の設定変更が終了した場合など、液晶表示部１１を駆動する必要が無くなると、リモコン通信回路５は省エネモードになったと判断し（Ｓ４）、切換回路４１をオフ状態にする。すると電圧検知回路４２は外部電源３に異常が生じたものと判断して切換回路５１をオフ状態からオン状態に切り換える（Ｓ５）。
【００２４】
すると、通信線５０を介して給湯装置２から電源回路５２に電力が供給され、電源回路５２から出力される電力がリモコン通信回路５に供給される。したがって、テレビリモコン１はリモコンとして機能し続けることができる。
【００２５】
また、リモコン通信回路５から切換回路４１に対してオフ状態にする信号が出力されなくても、外部電源３が故障し外部電源３から電力が供給されなくなると電圧検知回路４２が自動的に切換回路５１をオン状態にして、リモコン通信回路５への電力供給を維持させることができる。
【００２６】
ところで、このように外部電源３に故障等の異常が生じた場合、テレビリモコン１が故障していなくても液晶表示部１１が作動しない状態になり、テレビリモコン１自体が故障したと誤解する可能性が生じる。そこで、外部電源３に異常が生じた場合には、その旨を報知するため警告音を発音し、あるいはＬＥＤ（発光ダイオード）をテレビリモコン１に設けて発光させることにより、外部電源３に異常が発生したことを知らせるようにしてもよい。
【００２７】
なお、本発明は上記した形態に限定されるものではなく、本発明の要旨を逸脱しない範囲内において種々の変更を加えてもかまわない。
【図面の簡単な説明】
【００２８】
【図１】本発明の一実施の形態の構成を示す図
【図２】テレビリモコンに対する接続状態を示す図
【図３】電力の供給構成を示すブロック図
【図４】電力の供給状態を示すフロー図
【符号の説明】
【００２９】
１  テレビリモコン
２  給湯装置
３  外部電源
１１  液晶表示部
【図１】
2006186466.tif 000003
【図２】
2006186466.tif 000004
【図３】
2006186466.tif 000005
【図４】
2006186466.tif 000006